(57)【要約】      （修正有）【課題】手袋を取り出すことが容易であり、汚れにくい使い捨て手袋の収納製品を提供する。【解決手段】使い捨て手袋の収納製品であって、厚さ０．１ｍｍ以下の面材からなる使用前形態の手袋３を多数枚重ね合わせた手袋束７と、手袋束７の手首側基部４に取り付けられた、手袋束７を一体に固定止めする止め手段と、使用前形態の手袋３の各々に設けられた、引っ張ると使用形態の手袋を手首側基部４と分離することを可能にする分離手段と、手袋束７及び止め手段の全体を包み覆う収納袋１４と、収納袋１４に設けられた、袋内より使用形態の手袋を引っ張り出すための手袋取出口とを備えてなる製品。【選択図】図１
2012218763.tif 000002
【特許請求の範囲】
【請求項１】
使い捨て手袋の収納製品であって、
厚さ０．１ｍｍ以下の面材からなる使用前形態の手袋を多数枚重ね合わせた手袋束と、
該手袋束の手首側基部に取り付けられた、手袋束を一体に固定止めする止め手段と、
前記使用前形態の手袋の各々に設けられた、引っ張ると使用形態の手袋を前記手首側基部と分離することを可能にする分離手段と、
前記手袋束及び前記止め手段の全体を包み覆う収納袋と、
該収納袋に設けられた、袋内より前記使用形態の手袋を引っ張り出すための手袋取出口とを備えてなる上記製品。
【請求項２】
前記面材は、ポリオレフィンフィルム、不織布又は合成紙からなることを特徴とする請求項１記載の使い捨て手袋の収納製品。
【請求項３】
前記止め手段は、止め軸を各手袋に穿設された孔に挿通することにより手袋束を固定止めするものであるか、又は接着剤により前記手首側基部の各々を互いに接着することにより手袋束を固定止めするものであるか、又は加熱溶着により手首側基部の各々を互いに溶着することにより手袋束を固定止めするものであるか、又は２枚の押え板で前記手袋束の手首側基部を挟むことにより手袋束を固定止めするものであることを特徴とする請求項１記載の使い捨て手袋の収納製品。
【請求項４】
前記分離手段は断続した切れ目又は溝であることを特徴とする請求項１記載の使い捨て手袋の収納製品。
【請求項５】
前記収納袋が透明な合成樹脂袋であることを特徴とする請求項１記載の使い捨て手袋の収納製品。
【請求項６】
前記手袋取出口の構造は袋表面又は底部に断続した切れ目を形成し、その開裂により手袋取出口が形成される構造であるか、又は袋地の端部同士を重ねて手袋取出口を形成する構造であることを特徴とする請求項１記載の使い捨て手袋の収納製品。
【請求項７】
前記手袋束を吊り下げるための掛け吊るし手段を前記止め手段に設けてなることを特徴とする請求項１記載の使い捨て手袋の収納製品。
【請求項８】
前記手袋は食品、医薬又は化学薬剤を取り扱うときに用いる使い捨て手袋であることを特徴とする請求項１記載の使い捨て手袋の収納製品。
【発明の詳細な説明】
【技術分野】
【０００１】
本発明は、使い捨て手袋の収納製品に関する。
【背景技術】
【０００２】
弁当工場など弁当におかずを詰める場合において、作業する者が食品を手で直接取り扱うために使用する使い捨て手袋として、樹脂フィルム製の使い捨て手袋が広く用いられている。
食品を取り扱う際に、樹脂フィルムからなる手袋を用いると、素手で食品をつかむのに比べ衛生的であり、異なるおかずに触れるのに、手袋を交換すれば、他の食品への味うつり等の不具合もない。更に、このような使い捨て手袋は安価であり、頻繁に手袋の交換が必要な作業分野で利用される場合に便利なものである。
従来、このような使い捨て手袋は、箱や袋などの収納製品に収納され、収納製品の手袋取出口から必要な枚数を取出すことにより使用されてきた。
【先行技術文献】
【特許文献】
【０００３】
【特許文献１】実用新案登録第３０３８４４３号公報
【発明の開示】
【発明が解決しようとする課題】
【０００４】
しかし、従来の収納製品に収納された手袋は、使用しているうちに収納された手袋が収納製品の中で散乱しがちになることから、手袋を必要な枚数分すばやく取り出すことが容易ではなかった。特に、弁当の製造の現場にあっては、衛生の観点から手袋の交換頻度が多いものであるので、使い捨て手袋の取り出しに時間がかかるのは望ましいことではなかった。
また、従来の収納製品では手袋を取り出す際、該収納製品内に手を入れて、散乱した手袋の群や集まりから必要な数の手袋を引き寄せて取り出すという動作がなされていたので、該収納製品の内部及び未だ使用しない使い捨て手袋を手で汚す虞があり、衛生上問題であった。
また、従来の使い捨て手袋の収納製品は、作業台上の身近な適当な所に、多くは専用の置き場に置かれることが多く、その分作業スペースが狭くなるという問題が生じうるものであった。
本発明はこの点を改良すべくなされたものであって、１枚ずつ手袋を取り出すことが容易であり、収納製品の内部及び収納状態の手袋がよごれにくく且つ、大掛かりな設置スペースを取らない使い捨て手袋の収納製品を提供することを目的とするものである。
【課題を解決するための手段】
【０００５】
すなわち本発明は、使い捨て手袋の収納製品であって、
厚さ０．１ｍｍ以下の面材からなる使用前形態の手袋を多数枚重ね合わせた手袋束と、
該手袋束の手首側基部に取り付けられた、手袋束を一体に固定止めする止め手段と、
前記使用前形態の手袋の各々に設けられた、引っ張ると使用形態の手袋を前記手首側基部と分離することを可能にする分離手段と、
前記手袋束及び前記止め手段の全体を包み覆う収納袋と、
該収納袋に設けられた、袋内より前記使用形態の手袋を引っ張り出すための手袋取出口とを備えてなる上記製品に関するものである。
また、本発明の好ましい態様は、上記使い捨て手袋の収納製品において、前記面材は、ポリオレフィンフィルム、不織布又は合成紙からなることを特徴とする製品に関する。
また、本発明の別の好ましい態様は、上記使い捨て手袋の収納製品において、前記止め手段は、止め軸を各手袋に穿設された孔に挿通することにより手袋束を固定止めするものであるか、又は接着剤により前記手首側基部の各々を互いに接着することにより手袋束を固定止めするものであるか、又は加熱溶着により手首側基部の各々を互いに溶着することにより手袋束を固定止めするものであるか、又は２枚の押え板で前記手袋束の手首側基部を挟むことにより手袋束を固定止めするものであることを特徴とする製品に関するものである。
また、本発明のより好ましい態様は、上記使い捨て手袋の収納製品において、前記分離手段は断続した切れ目又は溝であることを特徴とする製品に関するものである。
また、本発明の別のより好ましい態様は、上記使い捨て手袋の収納製品において、前記収納袋が透明な合成樹脂袋であることを特徴とする製品に関するものである。
また、本発明の更に好ましい態様は、上記使い捨て手袋の収納製品において、前記手袋取出口の構造は袋表面又は底部に断続した切れ目を形成し、その開裂により手袋取出口が形成される構造であるか、又は袋地の端部同士を重ねて手袋取出口を形成する構造であることを特徴とする製品に関するものである。
また、本発明の更により好ましい態様は、上記使い捨て手袋の収納製品において、前記手袋束を吊り下げるための掛け吊るし手段を前記止め手段に設けてなることを特徴とする製品に関するものである。
また、本発明の最も好ましい態様は、上記使い捨て手袋の収納製品において、前記手袋は食品、医薬又は化学薬剤を取り扱うときに用いる使い捨て手袋であることを特徴とする製品に関するものである。
【発明の効果】
【０００６】
本発明によれば、１枚ずつ手袋を取り出すことが容易であり、収納製品の内部及び収納状態の手袋が汚れにくく且つ、大掛かりな設置スペースを取らない使い捨て手袋の収納製品を提供することができる。
【図面の簡単な説明】
【０００７】
【図１】図１（ａ）は本発明の実施例１の使い捨て手袋の収納製品１を示す正面図であり、図１（ｂ）は本発明の実施例１の使い捨て手袋の収納製品１のＡ−Ａ線における断面を示す図である。
【図２】図２（ａ）は本発明の実施例２の使い捨て手袋の収納製品２を示す正面図であり、図２（ｂ）は本発明の実施例２の使い捨て手袋の収納製品２のＢ−Ｂ線における断面を示す図である。
【図３】図３は、本発明の実施例１の使い捨て手袋の収納製品１を示す側面図である。
【図４】図４は、本発明の実施例１の使い捨て手袋の収納製品１から使用形態の手袋１７を取り出す様子を示す図である。
【図５】図５は、使用形態の手袋１７を示す斜視図である。
【発明を実施するための形態】
【０００８】
本発明は、食品、医薬又は化学薬剤などを取り扱うときに用いる使い捨て手袋を収納するための収納製品である。
【０００９】
本発明の前記使用前形態の手袋は、厚さ０．１ｍｍ以下の面材からなるものである。この面材の材質としては、特に限定されないが、ポリエチレンフィルム又はポリプロピレンフィルム等のポリオレフィンフィルム、不織布又は合成紙を使用することができ、特にはポリオレフィンフィルムを使用することが好ましい。
該手袋は、２枚の面材を手形状に溶着し、その周囲を裁断する等の方法により製造されるが、これに限定されるものではない。該手袋は、手に取った食品等が滑り落ちないよう
、その外側にエンボス加工を施していてもよい。
【００１０】
本発明において、手袋束の手首側基部には使用前形態の手袋を固定止めし散乱しないようにするための止め手段が設けられている。
止め手段としては、止め軸を各手袋に穿設された孔に挿通することにより手袋束を固定止めするものであることが好ましいが、接着剤により前記手首側基部の各々を互いに接着することにより手袋束を固定止めするもの、又は加熱溶着により手首側基部の各々を互いに溶着することにより手袋束を固定止めするもの、又は２枚の押え板で前記手袋束の手首側基部を挟むことにより手袋束を固定止めするものなどの手段であってもよいが、これらに限定されるものではない。
止め軸を各手袋の手首側基部に穿設された孔に挿通することにより手袋束を固定止めする場合、該止め軸の周囲に接着剤を付け、手袋束の各々の手首側基部の孔に該止め軸を挿通させることで、各々の手袋の手首側基部と該止め軸とを接着し、手袋束全体を止め軸に固定することができるという方法を用いてもよく、また、この手袋束の手首側基部の上と下を、孔を穿設した支持板で挟み、止め軸を手袋束及び支持板に穿設された孔に挿通させ、支持板と止め軸を接着剤で固定するという方法を用いても良い。
【００１１】
手袋束の手首側基部には、使用形態の手袋を手袋束から分離させるための分離手段が設けられている。分離手段は、断続的な切れ目を設けるか、または、手袋の厚さよりも薄肉の部分を線状に形成した溝を設けることで形成される。
断続的な切れ目又は溝は直線状又は曲線状等に形成されるが、これに限られるものではない。
また、分離手段が溝である場合、溝の深さは、使い捨て手袋が切取り易いように手袋の厚さの１０乃至８０％にすることが好ましい。
【００１２】
また、本発明の使い捨て手袋の収納製品は、収納袋により手袋束及び止め手段の全体が包み覆われるものである。本発明の使い捨て手袋の収納製品は収納袋により、使用前形態の手袋を外部の埃などから防ぐことができる。
収納袋の材質については特に制限はされないが、ポリオレフィンフィルム、不織布又は合成紙を使用することがよい。また、該収納袋には埃を寄せ付けにくくするための帯電防止加工や、細菌による汚染を防ぐための抗菌加工を施してもよい。
【００１３】
前記収納袋には、手袋を取り出すための開口部である手袋取出口が設けられている。手袋取出口の構造は、前記収納袋表面又は底部に断続した切れ目を形成し、その開裂により手袋取出口が形成される構造であるか、又は袋地の端部同士を重ねて手袋取出口を形成する構造であることが好ましいが、これに制限されるものではない。
【００１４】
更に、本発明の使い捨て手袋の収納製品には手袋束全体を例えば壁に取り付けたフック等に吊り下げるための掛け吊るし手段を止め手段に設けていてもよい。
掛け吊るし手段を設けることで該収納製品を壁のフックなどに掛け吊るした状態で簡便に使用することができ、該収納製品の設置のために作業台などの場所を使用せずに済む。
【００１５】
以下、本発明の実施例を説明する。
実施例１
本発明の使い捨て手袋の収納製品１の正面図を図１（ａ）、その断面図を図１（ｂ）に示し、その側面図を図３に示す。
片面にエンボス加工が施されている厚さ０．０２乃至０．０３ｍｍのポリエチレン製面材２枚を、エンボス加工が施されている面が外側になるように重ね合わせ、手形状に溶着し、その周囲を裁断することで、使用前形態の手袋３を製造した。使用前形態の手袋３の手首側には、幅１２０ｍｍ乃至１５０ｍｍの手首側基部４が設けられている。また、使用
前形態の手袋３の手首側基部４には分離手段として断続的な切れ目５が直線状に設けられており、更にこの切れ目５よりも手首側に直径６ｍｍの孔６が９５ｍｍの間隔で２箇所穿設されている。このように形成した使用前形態の手袋３を重ね合わせて１００枚の束にし、これを手袋束７とした。
手袋束７は、その手首側基部が止め手段４により固定止めされている。使い捨て手袋の収納製品１において、止め手段は、手袋３に穿設した孔６に対応するように孔８を穿設した支持板９，９を手袋束７の上下に配置し、孔６と孔８に止め軸１０を挿通し、支持板９，９と止め軸１０とを接着剤で接着するという構成からなる。
また、支持板９には、孔１１を有する掛け吊るし手段１２が設けられている。
このように固定止めされた手袋束７、支持板９及び止め軸１０の全体は、正面の中央部に縦方向に断続した切れ目１３を設けたポリプロピレン製の収納袋１４で包み覆われている。
なお、収納袋１４の上部には、掛け吊るし手段１２を収納袋１４の外に出すための開口１５が設けられている。そして、この断続した切れ目１３を裂き開くことにより、手袋取出口１６が形成されるようになっている。
【００１６】
実施例１の使い捨て手袋の収納製品１は、大掛かりな設置スペースを取らずに、掛け吊るし手段１２の孔１１を壁に取り付けられたフック等に掛けることができ、従って、収納製品１は大掛かりなスペースを取らずに壁に取り付けた形態で使用される。
而して、図５に示すように、断続した切れ目１３を開裂させて形成した手袋取出口１６から手を差し入れ使用前形態の手袋３を引っ張り出すようにすることで、同時に切れ目５が切断され、使用前形態の手袋３が前記手首側基部４から分離され、使用形態の手袋１７を取り出すことができる。また、前記手袋束７は手首側基部４で固定止めされていることから、使用形態の手袋１７を１枚ずつ手で摘むことができるとともに、使用前形態の手袋３が収納製品１内で散乱することなく常に重ねられた状態で保たれる。
以上のように、本発明の収納製品１では、散乱した手袋の群や集まりから必要な数の手袋を引き寄せて取り出すという動作をせずに、必要な枚数の使用形態の手袋１７を容易に取り出すことができ、収納製品１の内部及び使用前形態の手袋３を不必要に手で触れることが少なくなり、手が触れることにより収納製品１の内部及び該使用前形態の手袋３に付着する汚れを低減することができる。
【００１７】
実施例２
本実施例の使い捨て手袋の収納製品２の正面図を図２（ａ）、その断面図を図２（ｂ）に示す。この収納製品２は、手袋取出口１６が、袋地の端部１８同士を重ねて手袋取出口１６を形成する構造であること以外は実施例１と同様の構成である。
従って、実施例２の使い捨て手袋の収納製品２も収納製品１と同様に、使用形態の手袋１７を容易に取り出すことができる。
実施例２の収納製品２は、使用前形態の手袋３が袋外部に露出していない構造であることから、使用前形態の手袋３を外部からの埃の付着による汚染から有効に防ぐ効果が高いものである。
【符号の説明】
【００１８】
１     実施例１の収納製品１
２     実施例２の収納製品２
３     使用前形態の手袋
４     手首側基部
５     切れ目
６     孔
７     手袋束
９     支持板（止め手段）
１０   止め軸（止め手段）
１２   掛け吊るし手段
１３   切れ目
１４   収納袋
１６   手袋取出口
１７   使用形態の手袋
１８   袋地の端部
【図１】
2012218763.tif 000003
【図２】
2012218763.tif 000004
【図３】
2012218763.tif 000005
【図４】
2012218763.tif 000006
【図５】
2012218763.tif 000007